(57)【特許請求の範囲】
【請求項１】
音を生じさせるドライバユニットと、
外周部と先端部を有して、前記ドライバユニットを収納された外枠部材と、
リング状を有し、かつ、断面が略Ｃ字型を有して、前記外枠部材の外部に装着された弾性変形可能な弾性膜とを備え、
当該弾性膜は、略Ｃ字型の一方の端部を、前記外枠部材の外周部に固着されるとともに、他方の端部を、前記外枠部材の先端部に固着されることを特徴とするイヤホン。
【請求項２】
前記外枠部材と前記弾性膜との間には、リング状の空間部が形成され、
当該空間部に弾性変形可能な緩衝部材が配置されることを特徴とする請求項１に記載のイヤホン。
【請求項３】
前記外枠部材は、前記外周部に一段細く形成された支持部を有するとともに、前記先端部に一段低く形成された段部を有し、
前記支持部には、リング状を有して当該支持部の外周を一周する弾性変形可能な第１の弾性締結部材が備えられ、
前記弾性膜には、略Ｃ字型の他方の端部をリング状に太く形成された弾性変形可能な第２の弾性締結部材が備えられ、
前記弾性膜は、略Ｃ字型の一方の端部を、前記第１の弾性締結部材により前記支持部に固着されるとともに、他方の端部を、前記第２の弾性締結部材により前記段部に固着されることを特徴とする請求項１又は請求項２に記載のイヤホン。
【発明の詳細な説明】
【０００１】
【発明の属する技術分野】
この発明は、イヤパッドの耐久性を高めると共に人間の耳にフットして音洩れを防止したイヤホンに関し、インナーイヤ型のイヤホンに好適なものである。
【０００２】
【従来の技術】
従来、テープレコーダ等の再生機器やラジオ等の受信機器で音楽やその他の音声信号などを聞く場合には、耳の穴に差し込まれて装着するタイプのイヤホンが使用されることがあった。
【０００３】
そして、人間の耳の穴への装着感を向上することなどを目的として、このようなイヤホンのハウジング周りにスポンジ状のウレタンフォーム製のイヤパッドを使用者が被せて使用したりしていた。
【０００４】
【発明が解決しようとする課題】
しかし、ウレタンフォーム製のイヤパッドではハウジングから脱落したり、破れたりする等して耐久性が不十分であり、また、人間の耳は千差万別の種々の形があるので、耳とイヤホンとの間に隙間が生じて低音域の音が音漏れして十分に伝達できず、ウレタンフォーム製のイヤパッドでは十分な性能を得ることができなかった。
【０００５】
この為、ハウジングの形を単なる円形から耳の穴の形に合わせた楕円形などに変更することが考えられたが、このような構造のものでも種々の形を有する人間の耳の形に十分に対応できるものではなく、音洩れが生じる欠点があった。
【０００６】
本発明は上記欠点を解消するためになされたもので、イヤパッドの耐久性を高めると共に音洩れを防止したイヤホンを提供することを目的とする。
【０００７】
【課題を解決するための手段】
請求項１によるイヤホンは、音を生じさせるドライバユニットと、外周部と先端部を有して、ドライバユニットを収納された外枠部材と、リング状を有し、かつ、断面が略Ｃ字型を有して、外枠部材の外部に装着された弾性変形可能な弾性膜とを備え、当該弾性膜は、略Ｃ字型の一方の端部を、外枠部材の外周部に固着されるとともに、他方の端部を、外枠部材の先端部に固着されることを特徴とするものである。
【０００８】
請求項２によるイヤホンは、請求項１において、外枠部材と弾性膜との間には、リング状の空間部が形成され、当該空間部に弾性変形可能な緩衝部材が配置されることを特徴とするものである。
【０００９】
請求項３によるイヤホンは、請求項１又は請求項２において、外枠部材は、外周部に一段細く形成された支持部を有するとともに、先端部に一段低く形成された段部を有し、支持部には、リング状を有して当該支持部の外周を一周する弾性変形可能な第１の弾性締結部材が備えられ、弾性膜には、略Ｃ字型の他方の端部をリング状に太く形成された弾性変形可能な第２の弾性締結部材が備えられ、弾性膜は、略Ｃ字型の一方の端部を、第１の弾性締結部材により支持部に固着されるとともに、他方の端部を、第２の弾性締結部材により段部に固着されることを特徴とするものである。
【００１１】
請求項１に係るイヤホンの作用を以下に説明する。音を生じさせるドライバユニットを収納する、外周部と先端部を有した外枠部材に、リング状を有し、かつ、断面が略Ｃ字型を有した弾性変形可能な弾性膜を装着する場合に、弾性膜の一方の端部を外枠部材の外周部に固着するとともに、他方の端部を外枠部材の先端部に固着する。
【００１２】
従って、ゴム材等で形成された弾性膜でイヤパッドが形成されることになるので、従来のウレタンフォーム製のイヤパッドと異なって、イヤパッドの耐久性が高められる。また、断面が略Ｃ字型の弾性膜と、外枠部材との間には、リング状の空間部が形成されるので、耳の穴に差し込まれたときに弾性膜がこの空間側に容易に変形して耳とイヤホンとの間に隙間が生じず、誰の耳の穴にもフィットするようになり、耳とイヤホンとの間から音漏れせず低音域の音が十分に伝達されることになる。
【００１３】
請求項２に係るイヤホンの作用を以下に説明する。本請求項も請求項１と同様の構成を有しているが、さらに以下のように作用する。本請求項では、弾性変形可能な緩衝部材が、外枠部材と弾性膜との間に形成された空間部に配置される構成を有する。
【００１４】
従って、この緩衝部材により弾性膜の柔らかさ及び復元力の調整が可能となり、耳とイヤホンとの間に隙間が一層生じないようになる。
【００１５】
請求項３に係るイヤホンの作用を以下に説明する。本請求項も請求項１及び請求項２と同様の構成を有しているが、さらに以下のように作用する。本請求項では、外枠部材は、外周部に一段細い支持部を、先端部に一段低い段部を有する。支持部には、第１の弾性締結部材が備えられる。弾性膜の他方の端部には、第２の弾性締結部材が形成される。弾性膜は、一方の端部を、第１の弾性締結部材により支持部に固着されるとともに、他方の端部を、第２の弾性締結部材により段部に固着されるようになる。
【００１６】
従って、第１の弾性締結部材が弾性膜の一方の端部を外枠部材の支持部に固着し、第２の弾性締結部材が弾性締結部材自体である弾性膜の他方の端部を外枠部材の段部に固着するので、外枠部材から弾性膜が脱落することが確実に無くなり、イヤパッドの耐久性が一層高められる。
【００１９】
【発明の実施の形態】
本発明に係る一実施の形態を図１から図６に示し、これらの図に基づき本発明の実施の形態を説明する。
【００２０】
図１から図４に示すように、バスブーストパイプ１２Ａを有すると共にコード３４を内蔵する為の筒状部１２が、イヤホン１０の外枠を形成する合成樹脂製のハウジング１４の基端側に連結されており、このハウジング１４の先端部に、コイル及び振動板等により構成されるドライバユニット１６が配置されている。ドライバユニット１６では、テープレコーダやラジオ等の機器からコード３４を介して送られた電気信号に基づいて振動板が振動して音響を生じさせる。
【００２１】
また、このハウジング１４のドライバユニット１６の背面側の壁部には、ハウジング１４に形成された貫通孔を塞ぐように制動材とされるダンパ３６が接着等で固定されている。
【００２２】
図１及び図５に示すように、このハウジング１４の先端部には、中央部分が十字状に形成され且つ外周側に一段低く形成された段部１８Ａを有したプロテクタ１８が配置され、このプロテクタ１８がドライバユニット１６を保護している。さらに、このプロテクタ１８の外周面側には、プロテクタ１８と同様に外周側に一段低く形成された段部２０Ａを有した金網２０が設置されている。
【００２３】
また、これらドライバユニット１６及びプロテクタ１８の外周側には、リング状に形成された保持リング２４が配置されており、この保持リング２４でこれらドライバユニット１６の外周部分及びプロテクタ１８の外周部分が挟持されている。
【００２４】
以上より、ハウジング１４、プロテクタ１８、金網２０及び保持リング２４がドライバユニット１６を収納する外枠部材を構成することになる。
【００２５】
さらに、これらプロテクタ１８及び保持リング２４には、それぞれ静圧対策としての貫通穴１８Ｂ、２４Ｂが形成されている。
【００２６】
図１に示すように、この保持リング２４の外周側には、リング状で断面が略Ｃ字型に形成されたシリコンゴム製の弾性膜であるイヤパッド２６が配置されている。つまり、柔らかいタイヤ状で弾性変形可能なイヤパッド２６が保持リング２４周りに空間Ｓを設けるように保持リング２４の外部に装着されている。そして、イヤパッド２６により形成された保持リング２４の外側の空間Ｓ内に弾性変形可能な多孔質でリング状に形成されたウレタンフォーム製の緩衝部材２８が配置される。
【００２７】
さらに、ハウジング１４の先端部の外周側は一段細く形成された支持部１４Ａとされており、この支持部１４Ａがイヤパッド２６の一端部によりリング状に覆われている。そして、このイヤパッド２６の一端部が、リング状の第１の弾性締結部材であるゴムリング３２により、支持部１４Ａに一周にわたって締結されている。この為、ゴムリング３２が、弾性変形してハウジング１４の支持部１４Ａにイヤパッド２６の一端部を固着することになる。
【００２８】
一方、イヤパッド２６の他端側には、イヤパッド２６の他端部をリング状に太くした第２の弾性締結部材である厚肉部２６Ａが形成されており、この厚肉部２６Ａが弾性変形して、プロテクタ１８及び金網２０の段部１８Ａ、２０Ａにイヤパッド２６の厚肉部２６Ａ自体を固着し、さらに、この厚肉部２６Ａがプロテクタ１８及び金網２０の段部１８Ａ、２０Ａと保持リング２４の下部との間で挟持されている。
【００２９】
以上より、ハウジング１４、ゴムリング３２、厚肉部２６Ａ及び保持リング２４等によりイヤパッド２６はドライバユニット１６から外れ難くなっている。
【００３０】
次に、本実施の形態に係るイヤホン１０の作用を説明する。
音を生じさせるドライバユニット１６をハウジング１４、プロテクタ１８、金網２０及び保持リング２４により構成される外枠部材が収納し、この外枠部材の外部に装着された弾性変形可能なイヤパッド２６が外枠部材を構成する保持リング２４周りに空間Ｓを設ける。
【００３１】
また、ウレタンフォーム製で弾性変形可能な緩衝部材２８がイヤパッド２６により形成された空間Ｓ内に配置されている。
【００３２】
従って、シリコンゴムでイヤパッド２６が形成されることになるので、従来のウレタンフォーム製で多孔質のイヤパッドと異なって、イヤパッド２６の耐久性が高められる。また、イヤパッド２６が保持リング２４周りに空間Ｓを設けているので、耳の穴にイヤホン１０が差し込まれたときに、イヤパッド２６がこの空間Ｓ側に容易に変形して耳とイヤホン１０との間に隙間が生じず、誰の耳の穴にもフィットするようになる。この結果、耳とイヤホン１０との間から音漏れせず低音域の音が十分に伝達されることになる。
【００３３】
具体的には、図６に示すように、特性曲線Ｂで表す従来のイヤパッドを採用したイヤホンと比較して、特性曲線Ａで表す本実施の形態のイヤパッド２６を採用したイヤホン１０は２０Ｈｚから１０００Ｈｚまでの低音域で確実に音が伝達されていることがわかる。
【００３４】
さらに、緩衝部材２８によって、イヤパッド２６の柔らかさ及び復元力の調整が可能となり、耳とイヤホン１０との間に隙間が一層生じないようになる。
【００３５】
一方、本実施の形態では、プロテクタ１８及び金網２０が一段低くされた段部１８Ａ、２０Ａを有し、イヤパッド２６の端部にリング状に太く形成された厚肉部２６Ａが弾性変形して、このプロテクタ１８及び金網２０の段部１８Ａ、２０Ａにイヤパッド２６の端部が固着されており、さらに、リング状のゴムリング３２が弾性変形してハウジング１４にイヤパッド２６の別の端部を固着するようになっている。
【００３６】
従って、厚肉部２６Ａ及びゴムリング３２がイヤパッド２６の両端部をプロテクタ１８、金網２０及びハウジング１４にそれぞれ固着するので、プロテクタ１８、金網２０及びハウジング１４からイヤパッド２６が脱落することが確実に無くなり、イヤパッド２６の耐久性が一層高められる。そして、使用者がイヤパッド２６をハウジング１４に被せる必要がないので、使用者の便宜が図られることにもなる。
【００３７】
尚、上記実施の形態では、イヤパッドにより形成された空間内に緩衝部材が配置されているが、緩衝部材を使用しなくとも、イヤパッドの材質或いは厚み等を適宜調整することにより、本発明の作用、効果を達成することが可能である。
【００３８】
さらに、上記実施の形態では、シリコンゴム製で断面が略Ｃ字型に形成されたイヤパッドを採用したが、他の弾性を有するゴム材等によりイヤパッドを形成しても良く、略Ｃ字型でなく断面を密閉された円環状にイヤパッドを形成しても良い。
【００３９】
また、上記実施の形態では、緩衝部材を多孔質のウレタンフォーム製としたが、弾性変形し得る他の材質を採用しても良い。
【００４０】
【発明の効果】
以上説明したように本発明のイヤホンによれば、イヤパッドの耐久性が高められると共に音洩れが防止されるという効果が得られる。また、外枠部材からイヤパッドが脱落することが確実に無くなる。
【図面の簡単な説明】
【図１】本発明の一実施の形態に係るイヤホンの断面図である。
【図２】本発明の一実施の形態に係るイヤホンの斜視図である。
【図３】本発明の一実施の形態に係るイヤホンの平面図である。
【図４】本発明の一実施の形態に係るイヤホンの側面図である。
【図５】本発明の一実施の形態に係るイヤホンに適用されるプロテクタの正面図である。
【図６】本発明の一実施の形態に係るイヤホンの周波数とデシベルとの関係を従来のイヤホンとの対比で説明するグラフを表す図である。
【符号の説明】
１０      イヤホン
１４      ハウジング（外枠部材）
１６      ドライバユニット
１８      プロテクタ（外枠部材）
２０      金網（外枠部材）
２４      保持リング（外枠部材）
２６      イヤパッド（弾性膜）
２６Ａ    厚肉部（弾性締結部材）
２８      緩衝部材
３２      ゴムリング（弾性締結部材）
【図１】
0004123555.tif 000002
【図２】
0004123555.tif 000003
【図３】
0004123555.tif 000004
【図４】
0004123555.tif 000005
【図５】
0004123555.tif 000006
【図６】
0004123555.tif 000007